【事件の表示】
　特願２００４−１９３１９６「医療画像システムおよび超音波診断装置」拒絶査定不服審判事件〔平成１８年　１月１９日出願公開、特開２００６−　１４７８０〕について、次のとおり審決する。
【結　論】
　本件審判の請求は、成り立たない。
【理　由】
第１　手続の経緯
　本件は、平成１６年６月３０日にされた特許出願（２００４年特許願第１９３１９６号。以下、「本件出願」という。）につき、平成２２年７月２７日付けで、同年７月５日付けの手続補正についての補正の却下の決定がなされるとともに、同日付けで拒絶査定（発送日：同年８月３日）がなされたところ、拒絶査定不服審判が同年１２月３日に請求されるとともに同日付けで手続補正書が提出されたものである。
　　
第２　平成２２年１２月３日付けの手続補正についての補正却下の決定
　１　補正却下の決定の結論
　平成２２年１２月３日付けの手続補正を却下する。
　　
　２　補正却下の決定の理由
　（１）平成２２年１２月３日付けの手続補正書による手続補正（以下、「本件補正」という。）の内容
　
　　本件補正は、本件出願明細書の特許請求の範囲の請求項１を以下のとおり補正することを含むものである。
　
　　ア　本件補正前の特許請求の範囲の請求項１（平成２２年７月５日付けの手続補正は、同年７月２７日付けの補正の却下の決定により却下されているので、平成２２年３月１８日付け手続補正書によるものである。）
　　
「被検体の撮像画像を表示する医療画像システムであって、
　複数因子からなる前記被検体に関する第１データと複数因子からなる前記被検体の前記撮像画像に関する第２データとを関連付けて記憶する記憶部と、
　オペレータからの指示に基づいて、前記記憶部が記憶するそれぞれが複数因子からなる前記第１データと前記第２データとのうち、前記表示部に表示する因子を選択する選択部と、
　前記選択部により選択された前記因子について、前記記憶部により関連付けて記憶された前記第１データと前記第２データとのそれぞれを対応させて表示する表示部と
を有する
医療画像システム。」
　
　　イ　本件補正後の特許請求の範囲の請求項１
「【請求項１】
　被検体に送信され反射される超音波に基づいて生成された前記被検体の撮像画像を表示する医療画像システムであって、
　複数因子からなる前記被検体に関する第１データと複数因子からなる前記被検体の前記撮像画像に関する第２データとを関連付けて記憶する記憶部と、
　オペレータからの指示に基づいて、前記記憶部が記憶するそれぞれが複数因子からなる前記第１データと前記第２データとのうち、前記表示部に表示する因子を選択する選択部と、
　前記選択部により選択された前記因子について、前記記憶部により関連付けて記憶された前記第１データと前記第２データとのそれぞれを対応させて表示する表示部とを有
しており
　
前記第１データは、被検体のＩＤナンバー、氏名、生年月日及び性別のうちの少なくとも一つを含んでおり
　
前記第２データは、超音波撮像モード、超音波撮像時の超音波探触子の種類、撮像画像の印刷枚数及びビデオ録画の有無のうちの少なくとも一つを含んでおり、　前記超音波撮像モードは、ＢＷ（Ｂｌａｃｋ ａｎｄ Ｗｈｉｔｅ）モード、ＣＦＭ（Ｃｏｌｏｒ Ｆｌｏｗ Ｍａｐｐｉｎｇ）モード、ＰＤＩ（Ｐｏｗｅｒ Ｄｏｐｐｌｅｒ Ｉｍａｇｉｎｇ）モード、Ｂ−Ｆｌｏｗモード、ＣＨＡ（Ｃｏｄｅｄ Ｈａｒｍｏｎｉｃ Ａｎｇｉｏ）モード及びＡＤ（Ａｇｅｎｔ Ｄｅｔｅｃｔｉｏｎ）モードのうちの少なくとも一つを含んでいる
　
　なお、下線部は補正箇所を示す。
　　
　（２）　本件補正の目的の適否について
　本件補正は、本件補正前の「第１データ」を「前記第１データは、被検体のＩＤナンバー、氏名、生年月日及び性別のうちの少なくとも一つを含んでおり、」と限定し、特定するとともに、同「第２データ」を「前記第２データは、超音波撮像モード、超音波撮像時の超音波探触子の種類、撮像画像の印刷枚数及びビデオ録画の有無のうちの少なくとも一つを含んでおり、前記超音波撮像モードは、ＢＷ（Ｂｌａｃｋ ａｎｄ Ｗｈｉｔｅ）モード、ＣＦＭ（Ｃｏｌｏｒ Ｆｌｏｗ Ｍａｐｐｉｎｇ）モード、ＰＤＩ（Ｐｏｗｅｒ Ｄｏｐｐｌｅｒ Ｉｍａｇｉｎｇ）モード、Ｂ−Ｆｌｏｗモード、ＣＨＡ（Ｃｏｄｅｄ Ｈａｒｍｏｎｉｃ Ａｎｇｉｏ）モード及びＡＤ（Ａｇｅｎｔ Ｄｅｔｅｃｔｉｏｎ）モードのうちの少なくとも一つを含んでいる」と限定し、特定する補正であるから、特許請求の範囲を減縮するものである。
　そうすると、本件補正は減縮する補正を含む補正であり、平成１８年法律第５５号改正附則第３条第１項によりなお従前の例によるとされる同法による改正前（以下、「平成１８年改正前」という。）の特許法第１７条の２第４項第２号の特許請求の範囲の減縮を目的とするものに該当する。
　
　（３）　独立特許要件について
　本件補正後の特許請求の範囲請求項１に係る発明（以下、「本願補正発明」という）が、特許出願の際独立して特許を受けることができるものであるか（平成１８年改正前の特許法第１７条の２第５項において準用する同法第１２６条第５項の規定に適合するか）について以下に検討する。
　
　（ア）　引用刊行物記載の発明
（３Ａ）原査定の拒絶の理由に引用され、本件出願前に頒布された特開２００３−２６５４５６号公報（以下、「引用刊行物Ａ」という。）には、図面とともに次の事項が記載されている。（下線は当審で付与したものである。以下、同様である。）
　
（３Ａ−１）「【０００１】
【発明の属する技術分野】
本発明は
画像データの読み取り、表示を行う医用画像装置
　　
（３Ａ−２）「【００３０】また、リーダー２の読み取り制御、患者情報や撮影部位情報、読み取り条件等の入力及び画像データの表示を行うコンソール３は、設定した読み取り条件に基づいてリーダー２を制御する制御部１０と、リーダー２で読み取った画像に対して種々の画像処理（補正処理、階調変換処理、トリミング、反転／回転、パラメータ変更、マスキング等）を施す演算処理部１１と、
受付リスト画面、検索画面、撮影部位選択画面、撮影ルーチン画面等の各種画面を作成する表示画面作成部１５
画面を表示する表示部１２
・・・
【００３２】
この表示部１２に表示される表示画面は
受付リスト画面
撮影部位選択画面や撮影ルーチン画面への遷移が可能となるように構成され
　
(３Ａ−３)「【００３７】上記構成の放射線画像診断システム１を用いて、検索画面が初期画面として表示される場合の検査手順について、図６乃至図１１及び図１３の画面構成例及び図１２のフローチャート図を参照して説明する。なお、以下の説明では前登録方式で画像データの読み取りを行う場合の手順について記載するが、後登録方式であっても表示画面間の遷移動作は同様である。
【００３８】まず、ステップＳ１０１において、放射線技師等のオペレータは、患者情報の入力を行う初期画面の選択を行う。ここでは、患者情報の入力に際して検索画面１８を主に使用するオペレータを対象とし、初期画面として図６に示す検索画面１８が選択される場合について説明する。検索画面１８には、検索結果を表示する表示領域１８ａと、文字入力を行うキーボードが表示される入力領域１８ｂと、検索の実行を指示する検索ボタン１８ｃと、特定の画面への遷移を可能とする遷移スイッチ（受付けリスト画面１９への遷移を行う［受付リスト］遷移スイッチ１８ｄ及び撮影条件選択画面２０への遷移を行う［検査開始］遷移スイッチ１８ｅ）とが設けられている。
【００３９】そして、ステップＳ１０２で、オペレータは入力領域１８ｂのキーボードを操作して所定の検索キーを入力し、検索ボタン１８ｃを選択する（以下、画面をタッチしたりマウスでクリックする動作を「選択」と称する。）と、ＨＩＳ、ＲＩＳ等の外部情報システム２５やデータベース２６等を参照して検索が実行され、患者情報が表示領域１８ａに表示される。
【００４０】上記オペレータの場合、患者情報の入力は通常、検索画面１８で完了するが、必要に応じて受付けリスト画面１９から入力することもできる（ステップＳ１０３）。その場合、検索画面１８から受付けリスト画面１９への遷移を行うが、本実施例では遷移操作を明確にするために、検索画面１８には［受付けリスト］遷移スイッチ１８ｄが設けられており、ステップＳ１０４で［受付けリスト］遷移スイッチ１８ｄを選択すると、ステップＳ１０５で、図７に示すような受付けリスト画面１９が表示される。
【００４１】この受付リスト画面１９には、患者ＩＤ、患者氏名、性別、年齢、依頼科、病棟、撮影条件、撮影枚数等の情報が一覧表示される表示領域１９ａと、選択した患者情報を削除する削除ボタン１９ｂと、外部情報システム２５やデータベース２６に問い合わせてリストの更新を実行するリスト更新ボタン１９ｃと、特定の画面への遷移を可能とする遷移スイッチ（検索画面１８に戻る［ＯＫ］、［キャンセル］遷移スイッチ１９ｄ）とが設けられている。
【００４２】そして、ステップＳ１０６で一覧表示の中から撮影を行う所定の患者の選択が終了したら、ステップＳ１０７で受付リスト画面１９の［ＯＫ］遷移スイッチ１９ｄを選択すると、受付けリスト画面１９から自動的に検索画面１８（初期画面）に戻る。なお、検索画面１８から受付けリスト画面１９への遷移スイッチを［受付リスト］とし、受付けリスト画面１９から検索画面１８への遷移スイッチを［ＯＫ］、［キャンセル］と明示することによって、患者情報の入力の主となる画面が検索画面１８であることをオペレータに意識させている。すなわち、本実施例の表示画面間の遷移方法では、検索画面１８又は受付けリスト画面１９のいずれからも撮影ルーチンモードに遷移可能であるが、オペレータのワークフローに応じて選択された初期画面を主画面とし、主画面から撮影ルーチンモードへの遷移が主となるシーケンスであることを明確にすることにより、シーケンスの混同を未然に防止して迅速な画面間遷移を可能としている。
【００４３】そして、オペレータは患者情報の入力を確認した後、ステップＳ１０８において、検索画面１８に設けた［検査開始］遷移スイッチ１８ｄを選択して撮影ルーチンモードに遷移する。
撮影ルーチンモードでは
選択した患者に対応する撮影条件が入力されているか否かを判断し、入力されている場合にはステップＳ１１２に移行し、入力されていない場合には、ステップＳ１１０で図８に示すような
撮影条件選択画面２０を表示する
【００４４】この
撮影条件選択画面２０には、予め設定された撮影条件が表示される表示領域２０ａや放射線技師等のオペレータが設定又は撮影形態毎に分類された撮影条件が表示される分類表示領域２０ｂ
【００４５】そして、
オペレータは予め設定された撮影条件や分類された撮影条件の中から患者の撮影に適した条件を選択する
［予約］遷移スイッチ２０ｄを選択した場合は、選択した撮影条件と患者情報とを関連付けて予約情報として記憶して初期画面
に戻り
【００４６】次に、ステップＳ１１４において、公知の方法により、
Ｘ線撮影装置等の放射線画像撮影装置を用いて選択した患者を撮影し、患者のＸ線透過画像をカセッテ１７内部の放射線画像変換プレートに潜像として記録する
放射線画像撮影装置としてはＸ線撮影装置に限らず
超音波を用いて患者を撮影する装置
　
（３Ａ−４）「【００４７】次に、放射線技師等のオペレータは放射線画像撮影装置からカセッテ１７を取り出し、取り出したカセッテ１７をリーダー２の任意のスロットに挿入すると、前登録の場合は、リーダー２は、識別ラベル検出部９ｃによりプレートＩＤを読み取り、プレートＩＤを検索キーとしてデータベースを検索し、プレートＩＤに対応する読み取り条件を抽出する。また、後登録の場合は、カセッテ投入順キューと予約選択キューとの対応付けからカセッテ１７に対応する読み取り条件を抽する。その後、ステップＳ１１５において、リーダー２では設定された読み取り条件に従って、放射線画像変換プレートの潜像を読み取る。
【００４８】画像データの読み取り手順としては、まず、読み取り感度の値に従って、画像読取部９の感度が設定され、読み取り解像度の値に従って、プレート搬送部機構駆動部７ａの搬送速度や画像読取部９に設けたＡ／Ｄ変換器のサンプリングピッチが設定される。そして、カセッテ１７から放射線画像変換プレートが引き出され、副走査部機構駆動部９ａで放射線画像変換プレートをＸの方向に副走査搬送しながら、放射線画像変換プレートに蓄積・保持された画像データを読み出す。
【００４９】そして、放射線画像変換プレートに励起光が作用すると、蛍光体内部に蓄積されていたエネルギーが輝尽光として発生し、この輝尽光を集光して画像読取部９によって電気信号に変換し、この電気信号を対数変換器にて対数変換し（これによって、電気信号は輝尽光の光強度にリニアな電気信号から、輝尽光の光強度の対数リニアな電気信号、すなわち濃度にリニアな電気信号に変換される。）、さらにＡ／Ｄ変換器によってデジタル化する。
【００５０】画像読取部９から出力される画像データは、演算処理部１１で画像読取部９や放射線画像変換プレートに特有の補正処理（画像読取部９のシェーディング補正や、励起光発生部に起因するムラ補正、放射線画像変換プレートの感度ムラ補正など）、階調変換処理等が施される。
【００５１】次に、ステップＳ１１６において、デフォルトで設定された表示形式に従って読み取った画像データの表示を行う。なお、ここでは、図９に示すように、代表的な画像データが表示される主表示部２１ａと、関連して撮影された画像データがサムネイル形式で縮小表示される副表示部２１ｂと、入力した患者情報が表示される患者情報表示領域２１ｃと、特定の画面への遷移を可能とする遷移スイッチ（異なる表示形式の撮影ルーチン画面への遷移を行う［一括形式］遷移スイッチ２１ｄ、検索画面１８に戻る［検査保留］、［検査終了］遷移スイッチ２１ｅ、患者情報を修正する場合に検索画面１８に遷移する［患者修正］遷移スイッチ２１ｆ、撮影条件を修正する場合に撮影条件選択画面１９に遷移する［条件修正］遷移スイッチ２１ｇ）とからなる一画像形式の撮影ルーチン画面２１がデフォルトとして設定されているものとする。」
　
（３Ａ−５）【００６４】上記フローは検索画面１８が初期画面に設定されている場合についてであったが、患者情報の入力に際して主に受付けリスト画面１９を用いるオペレータの場合は、
受付けリスト画面１９を初期画面として設定する
【００６５】まず、ステップＳ２０１において、放射線技師等のオペレータは、患者情報の入力を行う初期画面の選択を行う。ここでは、患者情報の入力に際して受付けリスト画面１９を主に使用するオペレータを対象とし、
初期画面として図１４に示す受付けリスト画面１９が選択される場合について説明する
受付けリスト画面１９には、患者ＩＤ、患者氏名、性別、年齢、依頼科、病棟、撮影条件、撮影枚数等の情報が一覧表示される表示領域１９ａ
【００６６】上記オペレータの場合、
患者情報の入力は
検索画面１８に遷移する
【００６７】そして、図１３に示す検索画面１８の表示領域１８ａや入力領域１８ｂ、検索ボタン１８ｃを用いて、新規入力、検索、修正を実行し、ステップＳ２０６で処理が終了した後、ステップＳ２０７で検索画面１８の［ＯＫ］遷移スイッチ１８ｄを選択すると自動的に受付リスト画面１９に遷移する。なお、図６及び図７の場合と異なり、受付けリスト画面１９から検索画面１８への遷移スイッチを［新規／検索］、［修正］とし、検索画面１８から受付けリスト画面１９への遷移スイッチを［ＯＫ］、［キャンセル］と明示することによって、患者情報の入力の主となる画面が受付リスト画面１９であることをオペレータに意識させている。すなわち、本実施例の表示画面間の遷移方法では、検索画面１８又は受付けリスト画面１９のいずれからも撮影ルーチンモードに遷移可能であるが、オペレータのワークフローに応じて選択された初期画面を主画面とし、主画面から撮影ルーチンモードへの遷移が主となるシーケンスであることを明確にすることにより、シーケンスの混同を未然に防止して迅速な画面間遷移を可能としている。
【００６８】そして、オペレータは患者情報の入力を確認した後、ステップＳ２０８において、
受付リスト画面１９に設けた［検査開始］遷移スイッチ１９ｆを選択して撮影ルーチンモードに遷移する
初期画面の受付リスト画面１９に戻る
【００６９】このように、予め定めたワークフローに従って選択した受付リスト画面１９又は選択画面１８のいずれからでも撮影部位選択画面２０や撮影ルーチン画面２１〜２３への遷移を可能とすることにより、オペレータのワークフローに応じた画面間遷移を可能とし、また、シーケンスに応じて、同一画面の遷移スイッチを異なる構成、名称で表示することによってシーケンスの混同を防止することができる。これにより、迅速かつ的確な撮影、診断を行うことができる。
【００７０】なお、上記説明では、受付けリスト画面１９又は検索画面１８のいずれを初期画面として表示するかをオペレータが選択する構成としたが、この選択をコンソール３で自動的に行うこともできる。例えば、初回のシステム起動時に
初期画面として選択した画面をデータベース２６に記憶しておき
　
（３Ａ−６）図１４の受付リスト画面１９には、撮影条件として、「胸部−Ａ→Ｐ」、枚数として「５」が表示され、また、図８の撮影条件選択画面２０の予め設定された設定された撮影条件が表示される表示領域２０ａには、「立位アイイコン、胸部−Ａ→Ｐ」が表示され、また、撮影条件選択画面２０には、「立位」、「臥位」の選択項目が表示されることが描かれている。
　　
　上記引用刊行物Ａの（３Ａ−１）〜（３Ａ−６）の記載を参照すると、上記引用刊行物Ａには、
「超音波を用いて患者を撮影する装置の画像データの読み取り、表示を行う医用画像装置であって、
　受付けリスト画面１９を初期画面として記憶するデータベース２６と、
　患者ＩＤ、患者氏名、性別、年齢、依頼科、病棟、撮影条件、撮影枚数等の情報が一覧表示される表示領域１９ａを有する受付けリスト画面１９、撮影部位選択画面、及び撮影条件選択画面２０が表示される表示部１２とを有し、
　撮影条件選択画面２０には、予め設定された撮影条件が表示される表示領域２０ａや放射線技師等のオペレータが設定又は撮影形態毎に分類された撮影条件が表示される分類表示領域２０ｂが表示され、オペレータは予め設定された撮影条件や分類された撮影条件の中から患者の撮影に適した条件を選択し、
　撮影条件選択画面２０に設けた［予約］遷移スイッチ２０ｄを選択した場合は、選択した撮影条件と患者情報とを関連付けて予約情報として記憶して初期画面の受付けリスト画面１９に戻る
医用画像装置。」
　の発明（以下、「引用発明」という。）が記載されているものと認める。
　　　　　
（３Ｂ）原査定の拒絶の理由に引用され、本件出願前に頒布された特開２００１−１４３００５号公報（以下、「引用刊行物Ｂ」という。）には、図面とともに次の事項が記載されている。
　
（３Ｂ−１）「【０００１】
【発明の属する技術分野】
本発明は
医用画像表示システムに関する
【０００２】
【従来の技術】
超音波診断装置
は
画像やそれに伴うデータ等を
管理する医用システムが種々開発されてい
　
（３Ｂ−２）「【００３４】３．　検索の指示および表示
図３ないし図５は、本発明に係る
医用画像表示システムにおける所要の画像情報を検索するためのディスプレイ手段による画面表示例を示す
【００３５】すなわち、図３において、
検索条件として
基本情報３０Ａ、検査項目３０Ｂ
画面領域に設定される
被検者ＩＤ、被検者名、年齢、性別等の各項目からな
検査項目３０Ｂは
検査種別、部位等
【００３６】なお、前記詳細検索条件リスト３０Ｅにおいて、例えば『条件を追加』ボタン３１を操作することにより、図４に示すように、それぞれ計測値等の項目を、下半分の画面領域に表示させて、検索を可能とするように設定されている。なお、図４に示す計測項目は、超音波検査に基づくものを、アルファベット略号によりそれぞれ例示しており、その詳細については省略する。
【００３７】また、図３に示す表示画面の上方には、メニューボタン３２が設定されている。すなわち、これらのメニューボタン３２は、『環境設定』ボタン３２Ａ・・・である。
【００３８】そこで，前記
『環境設定』ボタン３２Ａを操作する
『表示項目選択』に関する画面が表示され，検索結果リストに表示させたい項目を設定することができる
　
（３Ｂ−３）図５には，選択する表示項目に，
検査ＩＤ，被検者名，性別，年令，生年月日等の患者に関する項目と，検査種別，部位等の撮影画像に関する項目を適宜選択する
　　
（３Ｃ）原査定の拒絶の理由に引用され、本件出願前に頒布された特開２００１−９５８０１号公報（以下、「引用刊行物Ｃ」という。）には、図面とともに次の事項が記載されている。
　
（３Ｃ−１）「【０００１】
【発明の属する技術分野】この発明は，超音波ビームを被検体（生体）内に投射してその反射波を受信し，反射状態を画像化することにより生体組織内の状態を診断する超音波診断装置に関する。」
　
（３Ｃ−２）「【００１１】・・・キーボード２３およびトラックボール２４（あるいはマウスなど）が接続されており，これらを操作することによって，患者の名前や日付などの情報を入力したり，超音波ビームでスキャンすべき部位を入力したり，あるいはどのようなモード（たとえば
ＢモードあるいはＢＭモード
・・・
【００１３】キーボード２３やトラックボール２４を操作して，まず，患者の名前，ＩＤ番号などの患者情報を入力し，つぎに撮像モードの設定を行う。・・・
【００１４】この超音波画像を記録装置２５に出力して保存しようとするとき、キーボード２３やトラックボール２４の操作により保存すべき画像を指定し、保存のコマンドを入力する。すると、表示画像生成部１８あるいは画像メモリ部１５に格納されていた超音波画像情報がＣＰＵ２１によって取り出され、ＢＭＰなどのフォーマットに変換される。同時に、
ＣＰＵメモリ部２９から、その画像データに関する属性データ
撮影モード
が抽出される
　
（３Ｃ−３）「【００１８】このようにして画像データのファイルを保存すると，同時に拡張子のみ異なる同一ファイル名の属性データのファイルも保存されるので，画像再生時にもきわめて便利である。・・・
・・・
【００２０】以上説明したようにこの発明の超音波診断装置によれば、超音波画像データの保存・再生がきわめて便利になる。すなわち、保存すべき画像を指定してそれを保存せよという操作を行えば、その画像データのファイルが最適な、かつ既存のファイル名とは重ならないファイル名として自動生成されたファイル名で保存され、同時に患者ＩＤ情報や撮影モードや画像サイズ等の属性データのファイルも保存される。そのため、操作者がファイル名をあれこれ考えたり、既存のファイルを上書きしてしまわないかをチェックしたりする手間を省くことができ、短時間で簡単に保存を行うことができる。また、指定された画像データのファイルとともに、
属性データのファイルが保存されるため、画像データの再生時にこの属性データを参照することができ
　　
（イ）本願補正発明についての対比・判断
（イ−１）本願補正発明と上記刊行物１記載の発明とを対比する。
（i）引用発明の「超音波を用いて患者を撮影する装置の画像データの読み取り、表示を行う医用画像装置」は、その構成・機能からみて、本願補正発明の「被検体に送信され反射される超音波に基づいて生成された前記被検体の撮像画像を表示する医療画像システム」に相当する。
　
（ii）引用発明の「受付けリスト画面１９」に表示される「患者ＩＤ、患者氏名、性別、年齢、依頼科、病棟」、及び「撮影条件、撮影枚数」が、それぞれ本願補正発明の「複数因子からなる前記被検体に関する第１データ」、及び「複数因子からなる前記被検体の前記撮像画像に関する第２データ」に相当する。
　また、引用発明の「データベース２６」は、患者ＩＤ、患者氏名、性別、年齢、依頼科、病棟、撮影条件、撮影枚数等の情報が一覧表示される表示領域１９ａを有する受付けリスト画面１９を、表示部１２の初期画面として記憶しており、さらに、受付けリスト画面１９の表示領域１９ａに一覧表示される、患者ＩＤ、患者氏名、性別、年齢、依頼科、病棟、撮影条件、撮影枚数等の情報は、撮影条件選択画面２０に設けた［予約］遷移スイッチ２０ｄを選択した場合に、選択した撮影条件と患者情報とを関連付けて予約情報として記憶された情報であることから、撮影条件選択画面２０に設けた［予約］遷移スイッチ２０ｄを選択した場合に、選択した撮影条件と患者情報とを関連付けられた予約情報が、引用発明の「データベース２６」に、記憶されることは明らかである。
　そうすると、引用発明の「データベース２６」が、本願補正発明の「複数因子からなる前記被検体に関する第１データと複数因子からなる前記被検体の前記撮像画像に関する第２データとを関連付けて記憶する記憶部」に相当する。
　
（iii）受付けリスト画面１９の表示領域１９ａに一覧表示される、患者ＩＤ、患者氏名、性別、年齢、依頼科、病棟、撮影条件、撮影枚数等の情報は、撮影条件選択画面２０に設けた［予約］遷移スイッチ２０ｄを選択した場合に、選択した撮影条件と患者情報とを関連付けて予約情報として記憶された情報であるから、引用発明の「表示部１２」には、選択した撮影条件と患者情報とを関連付けて予約情報として記憶された情報が、受付けリスト画面１９の表示領域１９ａに一覧表示されることになる。
　そうすると、引用発明の「表示部１２」と、本願補正発明の「前記選択部により選択された前記因子について、前記記憶部により関連付けて記憶された前記第１データと前記第２データとのそれぞれを対応させて表示する表示部」とは、「前記記憶部により関連付けて記憶された前記第１データと前記第２データとのそれぞれを対応させて表示する表示部」である点で共通する。
　
（iv）引用発明の受付けリスト画面１９の表示領域１９ａに一覧表示される情報には、患者情報として、「患者ＩＤ、患者氏名、性別、年齢、依頼科、病棟」を含んでいることから、引用発明の「患者情報」が「患者ＩＤ、患者氏名、性別、年齢、依頼科、病棟」を含んでいることと、本願補正発明の「前記第１データは、被検体のＩＤナンバー、氏名、生年月日及び性別のうちの少なくとも一つを含んで」いることとは、「前記第１データとは被検体のデータを含んで」いる点で共通する。
　
（v）引用発明の「医用画像装置」が、本願補正発明の「医療画像システム」に相当する。
　　　　　
　そうすると、本願補正発明と引用発明とは、　
「被検体に送信され反射される超音波に基づいて生成された前記被検体の撮像画像を表示する医療画像システムであって、
　複数因子からなる前記被検体に関する第１データと複数因子からなる前記被検体の前記撮像画像に関する第２データとを関連付けて記憶する記憶部と、
　前記記憶部により関連付けて記憶された前記第１データと前記第２データとのそれぞれを対応させて表示する表示部とを有しており、
　前記第１データは、被検体のデータを含んでいる
　医療画像システム。」である点で一致し、次の相違点（あ）〜相違点（え）で相違する。
　　　　
・相違点（あ）
　本願補正発明では、「オペレータからの指示に基づいて、前記記憶部が記憶するそれぞれが複数因子からなる前記第１データと前記第２データとのうち、前記表示部に表示する因子を選択する選択部」を有するのに対して、引用発明では、そのような構成を備えていない点。
　
・相違点（い）
　前記記憶部により関連付けて記憶された前記第１データと前記第２データとのそれぞれを対応させて表示する表示部が、本願補正発明では、「前記選択部により選択された前記因子について、」「前記記憶部により関連付けて記憶された前記第１データと前記第２データとのそれぞれを対応させて表示する表示部」であるのに対して、引用発明では、患者ＩＤ、患者氏名、性別、年齢、依頼科、病棟、撮影条件、撮影枚数等の情報が一覧表示される表示領域１９ａを有する受付けリスト画面１９、撮影部位選択画面、及び撮影条件選択画面２０が表示される表示部１２である点。
　
・相違点（う）
　前記第１データは、被検体のデータを含むことが、本願補正発明では、「前記第１データは、被検体のＩＤナンバー、氏名、生年月日及び性別のうちの少なくとも一つを含んで」いるのに対して、引用発明では、患者ＩＤ、患者氏名、性別、年齢、依頼科、病棟を含んでいる点
　
・相違点（え）
　撮像画像に関する第２データが、本願補正発明では、「前記第２データは、超音波撮像モード、超音波撮像時の超音波探触子の種類、撮像画像の印刷枚数及びビデオ録画の有無のうちの少なくとも一つを含んでおり、前記超音波撮像モードは、ＢＷ（Ｂｌａｃｋ ａｎｄ Ｗｈｉｔｅ）モード、ＣＦＭ（Ｃｏｌｏｒ Ｆｌｏｗ Ｍａｐｐｉｎｇ）モード、ＰＤＩ（Ｐｏｗｅｒ Ｄｏｐｐｌｅｒ Ｉｍａｇｉｎｇ）モード、Ｂ−Ｆｌｏｗモード、ＣＨＡ（Ｃｏｄｅｄ Ｈａｒｍｏｎｉｃ Ａｎｇｉｏ）モード及びＡＤ（Ａｇｅｎｔ Ｄｅｔｅｃｔｉｏｎ）モードのうちの少なくとも一つを含んでいる」のに対して、引用発明では、撮影条件、撮影枚数である点。
　
　（イ−２）当審の判断
・相違点（あ）〜相違点（う）について
（あ〜う−１）上記引用刊行物Ａの摘記事項（３Ａ−６）に、「図１４の受付リスト画面１９には、撮影条件として、『胸部−Ａ→Ｐ』、枚数として『５』が表示され、また、図８の撮影条件選択画面２０の予め設定された設定された撮影条件が表示される表示領域２０ａには、『立位アイイコン、胸部−Ａ→Ｐ』が表示され、また、撮影条件選択画面２０には、『立位』、『臥位』の選択項目が表示される」ことが記載されており、この記載によれば、撮影画像に関する撮影条件としての「胸部−Ａ→Ｐ」、及び、枚数としての「５」は、オペレータが、予め設定された撮影条件や分類された撮影条件の中から患者の撮影に適した条件を選択し、選択した撮影条件と患者情報とを関連付けて予約情報として記憶して、受付リスト画面１９に表示されるようにしたものである。
　しかしながら、撮影条件選択画面２０には、「立位アイイコン、胸部−Ａ→Ｐ」が表示され、また、「立位」、「臥位」の選択項目が表示されるにもかかわらず、オペレータが、患者の撮影に適した条件を選択し、選択した撮影条件と患者情報とを関連付けて予約情報として記憶して表示した受付リスト画面１９には、「胸部−Ａ→Ｐ」の撮影条件しか表示されていないことから、撮影時の撮影画像における患者の「立位」、「臥位」の姿勢に関する因子については、オペレータが、患者の撮影に適した条件として選択しなかったと解するのが自然である。
（あ〜う−２）ところで、上記引用刊行物Ｂの摘記事項（３Ｂ−１）〜（３Ｂ−３）の記載を参照すると、上記引用刊行物Ｂには、
「超音波診断装置の画像やデータ等を管理する医用システムにおいて、
　医用画像表示システムにおける所要の画像情報を検索結果リストとして画面に表示する際に、
　表示させたい項目を、検査ＩＤ，被検者名，性別，年令，生年月日等の患者に関する項目と，検査種別，部位等の撮影画像に関する項目とから適宜選択する。」発明（以下、「引用刊行物Ｂに記載された発明」という。）が記載されている。
（あ〜う−３）そうすると、引用発明の医用画像装置と、上記引用刊行物Ｂに記載された発明の医用画像表示システムとは、ともに超音波による撮像画像を表示する装置において、撮像画像に関連した患者の関する項目と撮像画像に関する項目を一覧で同時に表示する点で共通するするものであり、さらに、上記（あ〜う−１）で検討したように、表示する項目を選択する点においても共通することから、引用発明の、患者ＩＤ、患者氏名、性別、年齢、依頼科、病棟、撮影条件、撮影枚数等の情報が一覧表示される表示領域１９ａを有する受付けリスト画面１９において、上記引用刊行物Ｂに記載された発明の、表示させたい項目を、検査ＩＤ、被検者名、性別、年令、生年月日等の患者に関する項目と、検査種別、部位等の撮影画像に関する項目とから適宜選択する構成を採用し、受付けリスト画面１９の患者に関する患者ＩＤ、患者氏名、性別、年齢、依頼科、病棟を選択して、受付けリスト画面１９に表示するとともに、受付けリスト画面１９の撮影画像に関する撮影条件と枚数の各項目を選択して、受付けリスト画面１９に表示するように構成することにより、本願補正発明のごとく、「オペレータからの指示に基づいて、前記記憶部が記憶するそれぞれが複数因子からなる前記第１データと前記第２データとのうち、前記表示部に表示する因子を選択する選択部」を有する構成を得ることは当業者が容易になし得るものである。（相違点（あ））
（あ〜う−４）また、引用発明の医用画像装置は、選択した撮影条件と患者情報とを関連付けて予約情報として記憶し、初期画面の受付けリスト画面１９に、選択した撮影条件と患者情報とを関連付けて表示することから、上記（あ〜う−３）で検討したように、引用発明の、患者ＩＤ、患者氏名、性別、年齢、依頼科、病棟、撮影条件、撮影枚数等の情報が一覧表示される表示領域１９ａを有する受付けリスト画面１９において、上記引用刊行物Ｂに記載された発明の、表示させたい項目を、検査ＩＤ、被検者名、性別、年令、生年月日等の患者に関する項目と、検査種別、部位等の撮影画像に関する項目とから適宜選択する構成を採用すれば、本願補正発明のごとく、前記記憶部により関連付けて記憶された前記第１データと前記第２データとのそれぞれを対応させて表示する表示部が、「前記選択部により選択された前記因子について、」「前記記憶部により関連付けて記憶された前記第１データと前記第２データとのそれぞれを対応させて表示する表示部」となることは明らかである。（相違点（い））
（あ〜う−５）さらに、上記（あ〜う−３）で検討したように、引用発明の、患者ＩＤ、患者氏名、性別、年齢、依頼科、病棟、撮影条件、撮影枚数等の情報が一覧表示される表示領域１９ａを有する受付けリスト画面１９において、上記引用刊行物Ｂに記載された発明の、表示させたい項目を、検査ＩＤ、被検者名、性別、年令、生年月日等の患者に関する項目と、検査種別、部位等の撮影画像に関する項目とから適宜選択する構成を採用すれば、引用発明の患者に関する項目の患者ＩＤ、患者氏名、性別、年齢、依頼科、病棟のうちの少なくとも１つの項目は受付けリスト画面１９に表示されることは明らかであり、さらに、年齢の代わりに生年月日とすることも当業者が適宜採用する選択的事項にすぎないことから、引用発明の構成を、本願補正発明のごとく、前記第１データは、被検体のデータを含むことが、「前記第１データは、被検体のＩＤナンバー、氏名、生年月日及び性別のうちの少なくとも一つを含んで」いるようにすることは、当業者が適宜なし得る設計的事項にすぎないものである。（相違点（う））
　　
・相違点（え）について
（え−１）超音波の医用画像装置において、撮影画像に関する項目として、超音波撮像モード、超音波撮像時の超音波探触子の種類、撮像画像の印刷枚数及びビデオ録画は、本件の出願前に周知の技術事項である。
　例えば、撮影モードについては、上記引用刊行物Ｃの摘記事項（３Ｃ−１）に、
「【０００１】【発明の属する技術分野】この発明は，・・・
超音波診断装置
「【００１４】・・・
ＣＰＵメモリ部２９から、その画像データに関する属性データ
撮影モード・・・
が抽出される
「【００２０】・・・また、指定された画像データのファイルとともに、
属性データのファイルが保存されるため、画像データの再生時にこの属性データを参照することができ
　また、超音波撮像時の超音波探触子の種類については、例えば、特開２０００１−１２８９６９号公報に、
「【００１０】・・・本発明は、上記構成の超音波診断装置において、前記
撮影条件は、撮影に使用した超音波探触子の種類
のうちの少なくとも１つであることを特徴とする超音波診断装置を提供する
　さらに、撮像画像の印刷枚数ついては、例えば、特開２００１−９４７１４号公報に、
「【０００１】・・・本発明は・・・特に、医療用の画像診断装置によって得られる画像をネットワークを介して受信し、所定の画像処理を施してプリンタによるプリント出力処理を実行するネットワーク接続型の画像処理装置および画像処理方法に関するものである。【０００２】・・・医療用診断装置として様々な画像診断装置が使用されている。例えば、代表的な装置としては、
超音波診断装置
フィルム・プリンタによってプリントアウトされ
る
プリント出力態様が設定されている
出力枚数の項目
等、様々な処理、出力態様の設定が可能な構成となっている
　さらに、ビデオ録画については、例えば、特開平９−２３８９４２号公報に、
「【０００８】・・・この
診断用画面は
超音波画像７５ａが表示される
診断用画像は
ビデオ録画
により、保存される
　そして、超音波の医用画像装置において、撮影画像に関する項目として、どのような項目を設けるかは当業者が適宜採用する選択的事項にすぎないものであるから、上記（あ〜う−３）で検討したように、引用発明の、患者ＩＤ、患者氏名、性別、年齢、依頼科、病棟、撮影条件、撮影枚数等の情報が一覧表示される表示領域１９ａを有する受付けリスト画面１９において、上記引用刊行物Ｂに記載された発明の、表示させたい項目を、検査ＩＤ、被検者名、性別、年令、生年月日等の患者に関する項目と、検査種別、部位等の撮影画像に関する項目とから適宜選択する構成を採用した際に、撮影画像に関する項目として、本願補正発明のごとく、撮像画像に関する第２データが、「前記第２データは、超音波撮像モード、超音波撮像時の超音波探触子の種類、撮像画像の印刷枚数及びビデオ録画の有無のうちの少なくとも一つを含んで」いるようにすることは、当業者が適宜なし得る設計的事項にすぎないものである。
（え−２）また、超音波の医用画像装置において、各種の超音波撮像モードを備えることは周知である。
　例えば、上記引用刊行物Ｃの摘記事項（３Ｃ−２）に、
「【００１１】・・・キーボード２３およびトラックボール２４（あるいはマウスなど）が接続されており，これらを操作することによって，患者の名前や日付などの情報を入力したり，超音波ビームでスキャンすべき部位を入力したり，あるいはどのようなモード（たとえば
ＢモードあるいはＢＭモード
　また、特開平１１−２２１２１６号公報に、
「【０００７】・・・この
超音波診断装置１００
Ｂモード
ＣＦＭモード
ＰＤＩモード
　さらに、特開２００４−６１３号公報に、
「【０００１】【発明の背景】従来の
超音波スキャナ
Ｂモード
「カラーフロー」モード
（ＣＨＡ）モード
（ＣＡ）モード
Ｂフロー・モード
Ｂモード
Ｂモード
　そして、超音波の医用画像装置において、撮影画像に関する項目のうちの超音波撮像モードとして、どのような超音波撮像モードを設けるかは当業者が適宜採用する選択的事項にすぎないものであるから、上記（あ〜う−３）で検討したように、引用発明の、患者ＩＤ、患者氏名、性別、年齢、依頼科、病棟、撮影条件、撮影枚数等の情報が一覧表示される表示領域１９ａを有する受付けリスト画面１９において、上記引用刊行物Ｂに記載された発明の、表示させたい項目を、検査ＩＤ、被検者名、性別、年令、生年月日等の患者に関する項目と、検査種別、部位等の撮影画像に関する項目とから適宜選択する構成を採用した際に、撮影画像に関する項目うちの超音波撮像モードとして、本願補正発明のごとく、撮像画像に関する第２データの「前記超音波撮像モードは、ＢＷ（Ｂｌａｃｋ ａｎｄ Ｗｈｉｔｅ）モード、ＣＦＭ（Ｃｏｌｏｒ Ｆｌｏｗ Ｍａｐｐｉｎｇ）モード、ＰＤＩ（Ｐｏｗｅｒ Ｄｏｐｐｌｅｒ Ｉｍａｇｉｎｇ）モード、Ｂ−Ｆｌｏｗモード、ＣＨＡ（Ｃｏｄｅｄ Ｈａｒｍｏｎｉｃ Ａｎｇｉｏ）モード及びＡＤ（Ａｇｅｎｔ Ｄｅｔｅｃｔｉｏｎ）モードのうちの少なくとも一つを含んでいる」ようにすることは、当業者が適宜なし得る設計的事項にすぎないものである。
　　
　そして、本願補正発明によってもたらされる効果は、引用発明、引用刊行物Ｂに発明及び周知の技術的事項から予測される範囲内のものであって、格別のものではない。
　
　なお、請求人は請求の理由において、
（ａ）「引用文献１には、図７の受付けリスト画面１９において、（受付け）時間、患者ＩＤ、患者氏名、性別、年齢、依頼科、病棟、撮影条件、撮影枚数の情報が一覧表示されることが開示されているが、本願の請求項１，４に係る各発明における『前記第２データは、超音波撮像モード、超音波撮像時の超音波探触子の種類、撮像画像の印刷枚数及びビデオ録画の有無のうちの少なくとも一つを含んでおり、前記超音波撮像モードは、ＢＷ（Ｂｌａｃｋ ａｎｄ Ｗｈｉｔｅ）モード、ＣＦＭ（Ｃｏｌｏｒ Ｆｌｏｗ Ｍａｐｐｉｎｇ）モード、ＰＤＩ（Ｐｏｗｅｒ Ｄｏｐｐｌｅｒ Ｉｍａｇｉｎｇ）モード、Ｂ−Ｆｌｏｗモード、ＣＨＡ（Ｃｏｄｅｄ Ｈａｒｍｏｎｉｃ Ａｎｇｉｏ）モード及びＡＤ（Ａｇｅｎｔ Ｄｅｔｅｃｔｉｏｎ）モードのうちの少なくとも一つを含んでいる』点、『オペレータからの指示に基づいて、前記記憶部が記憶するそれぞれが複数因子からなる前記第１データと前記第２データとのうち、前記表示部に表示する因子を選択する選択部』及び『前記記憶部により関連付けて記憶された前記第１データと前記第２データとのそれぞれを対応させて表示する表示部』についての開示がない。引用文献１の明細書第４５段落には、『〜［予約］遷移スイッチ２０ｄを選択した場合は、選択した撮影条件と患者情報とを関連付けて予約情報として記憶して初期画面（検索画面１８）に戻り、［ＯＫ］遷移スイッチ２０ｃを選択した場合は、ステップＳ１１３でコンソール３の識別ラベル検出部１４を用いてカセッテ１７から読み取った識別ラベル情報（プレートＩＤ）と撮影条件及び読み取り条件との対応付けが行われる。』と記載されているだけで、本願の請求項１，４に係る各発明のように、被検体のＩＤナンバー等のうちの少なくとも一つを含む第１データと超音波撮像モード等のうちの少なくとも一つを含む第２データとの中から表示する因子を選択し、その選択された因子について前記第１データと前記第２データとのそれぞれを対応させて表示することについての開示はない。」旨の主張、及び
（ｂ）「公知文献３には、前述の通り、「〜「全て選択」ボタン３２Ｃを操作すると、検索結果リストに表示されている全てを選択する。〜」と記載されているだけで、本願の請求項１，４に係る各発明のように、被検体のＩＤナンバー等のうちの少なくとも一つを含む第１データと超音波撮像モード等のうちの少なくとも一つを含む第２データとの中から表示する因子を選択し、その選択された因子について前記第１データと前記第２データとのそれぞれを対応させて表示することについての開示はない。」旨の主張をそれぞれしている。
　しかしながら、（ａ）上記「相違点（え）について」において、検討したように、超音波の医用画像装置において、撮影画像に関する項目として、超音波撮像モード、超音波撮像時の超音波探触子の種類、撮像画像の印刷枚数及びビデオ録画や、各種の超音波撮像モードを備えることは周知であり、さらに、超音波の医用画像装置において、撮影画像に関する項目として、どのような項目を設けるかは当業者が適宜採用する選択的事項にすぎないものであるから、引用発明の、患者ＩＤ、患者氏名、性別、年齢、依頼科、病棟、撮影条件、撮影枚数等の情報が一覧表示される表示領域１９ａを有する受付けリスト画面１９において、上記引用刊行物Ｂに記載された発明の、表示させたい項目を、検査ＩＤ、被検者名、性別、年令、生年月日等の患者に関する項目と、検査種別、部位等の撮影画像に関する項目とから適宜選択する構成を採用した際に、撮影画像に関する項目として、本願補正発明のごとく、撮像画像に関する第２データが、「前記第２データは、超音波撮像モード、超音波撮像時の超音波探触子の種類、撮像画像の印刷枚数及びビデオ録画の有無のうちの少なくとも一つを含んでおり、前記超音波撮像モードは、ＢＷ（Ｂｌａｃｋ ａｎｄ Ｗｈｉｔｅ）モード、ＣＦＭ（Ｃｏｌｏｒ Ｆｌｏｗ Ｍａｐｐｉｎｇ）モード、ＰＤＩ（Ｐｏｗｅｒ Ｄｏｐｐｌｅｒ Ｉｍａｇｉｎｇ）モード、Ｂ−Ｆｌｏｗモード、ＣＨＡ（Ｃｏｄｅｄ Ｈａｒｍｏｎｉｃ Ａｎｇｉｏ）モード及びＡＤ（Ａｇｅｎｔ Ｄｅｔｅｃｔｉｏｎ）モードのうちの少なくとも一つを含んでいる」ように構成することは、当業者が適宜なし得る設計的事項にすぎないものである。
　また、上記「（イ−１）」の（iii）で検討したように、受付けリスト画面１９の表示領域１９ａに一覧表示される、患者ＩＤ、患者氏名、性別、年齢、依頼科、病棟、撮影条件、撮影枚数等の情報は、撮影条件選択画面２０に設けた［予約］遷移スイッチ２０ｄを選択した場合に、選択した撮影条件と患者情報とを関連付けて予約情報として記憶された情報であるから、引用発明の「表示部１２」には、選択した撮影条件と患者情報とを関連付けて予約情報として記憶された情報が、受付けリスト画面１９の表示領域１９ａに一覧表示されることになり、引用発明の「表示部１２」が、「前記記憶部により関連付けて記憶された前記第１データと前記第２データとのそれぞれを対応させて表示する表示部」に相当することは明らかである。
　ところで、引用発明は、「オペレータからの指示に基づいて、前記記憶部が記憶するそれぞれが複数因子からなる前記第１データと前記第２データとのうち、前記表示部に表示する因子を選択する選択部」の構成を有しないが、（ｂ）上記「（あ〜う−２）」で検討したように、上記引用刊行物Ｂには、
「超音波診断装置の画像やデータ等を管理する医用システムにおいて、
　医用画像表示システムにおける所要の画像情報を検索結果リストとして画面に表示する際に、
　表示させたい項目を、検査ＩＤ，被検者名，性別，年令，生年月日等の患者に関する項目と，検査種別，部位等の撮影画像に関する項目とから適宜選択する。」発明が記載されており、上記「（あ〜う−３）」において検討したように、引用発明の、患者ＩＤ、患者氏名、性別、年齢、依頼科、病棟、撮影条件、撮影枚数等の情報が一覧表示される表示領域１９ａを有する受付けリスト画面１９において、上記引用刊行物Ｂに記載された発明の、表示させたい項目を、検査ＩＤ、被検者名、性別、年令、生年月日等の患者に関する項目と、検査種別、部位等の撮影画像に関する項目とから適宜選択する構成を採用し、受付けリスト画面１９の患者に関する患者ＩＤ、患者氏名、性別、年齢、依頼科、病棟を選択して、受付けリスト画面１９に表示するとともに、受付けリスト画面１９の撮影画像に関する撮影条件と枚数の各項目を選択して、受付けリスト画面１９に表示するように構成することにより、本願補正発明のごとく、「オペレータからの指示に基づいて、前記記憶部が記憶するそれぞれが複数因子からなる前記第１データと前記第２データとのうち、前記表示部に表示する因子を選択する選択部」を有する構成を得ることは当業者が容易になし得るものであることから、請求人の主張は採用できないものである。
　
　したがって、本願補正発明は、引用発明、引用刊行物Ｂに発明及び周知の技術的事項に基づいて当業者が容易に発明をすることができたものであるから、特許法第２９条第２項の規定により特許出願の際独立して特許を受けることができないものである。
　　　　　　　　
（４）補正却下の決定についてのむすび
　以上のとおりであるから、本件補正は、平成１８年改正前の特許法第１７条の２第５項において準用する同法第１２６条第５項の規定に違反するので、同法第１５９条第１項において読み替えて準用する同法第５３条第１項の規定により却下しなければならないものである。
  
第３　本願発明について
１．本願発明
　平成２２年１２月３日付けの手続補正は上記のとおり却下されたので、本願の請求項１〜９に係る発明は、平成２２年３月１８日付け手続補正書により補正された特許請求の範囲の請求項１〜９に記載された事項により特定されるとおりのものであって、その請求項１に係る発明（以下、「本願発明」という。）は、以下のとおりのものである。
　
「被検体の撮像画像を表示する医療画像システムであって、
　複数因子からなる前記被検体に関する第１データと複数因子からなる前記被検体の前記撮像画像に関する第２データとを関連付けて記憶する記憶部と、
　オペレータからの指示に基づいて、前記記憶部が記憶するそれぞれが複数因子からなる前記第１データと前記第２データとのうち、前記表示部に表示する因子を選択する選択部と、
　前記選択部により選択された前記因子について、前記記憶部により関連付けて記憶された前記第１データと前記第２データとのそれぞれを対応させて表示する表示部と
を有する
医療画像システム。」
　
　２．引用刊行物の記載事項
　原査定の拒絶の理由に引用された刊行物およびその記載事項は、前記「第２　２（３）」の（ア）に記載したとおりである。
　　　　　　　　　　
　３．本願発明と引用発明との対比・判断
　上記「第２　２　（３）」の（イ）で検討した本願補正発明は、本願発明の「第１データ」を「前記第１データは、被検体のＩＤナンバー、氏名、生年月日及び性別のうちの少なくとも一つを含んでおり、」と限定し、特定するとともに、同「第２データ」を「前記第２データは、超音波撮像モード、超音波撮像時の超音波探触子の種類、撮像画像の印刷枚数及びビデオ録画の有無のうちの少なくとも一つを含んでおり、前記超音波撮像モードは、ＢＷ（Ｂｌａｃｋ ａｎｄ Ｗｈｉｔｅ）モード、ＣＦＭ（Ｃｏｌｏｒ Ｆｌｏｗ Ｍａｐｐｉｎｇ）モード、ＰＤＩ（Ｐｏｗｅｒ Ｄｏｐｐｌｅｒ Ｉｍａｇｉｎｇ）モード、Ｂ−Ｆｌｏｗモード、ＣＨＡ（Ｃｏｄｅｄ Ｈａｒｍｏｎｉｃ Ａｎｇｉｏ）モード及びＡＤ（Ａｇｅｎｔ Ｄｅｔｅｃｔｉｏｎ）モードのうちの少なくとも一つを含んでいる」と限定し、特定する補正であるから、特許請求の範囲を減縮するものである。
　そうすると、本願発明の構成要件を全て含み、さらに他の構成要件を付加したものに相当する本願補正発明が、前記「第２　２（３）」の（イ−２）において検討したとおり、引用発明、引用刊行物Ｂに記載された発明及び周知の技術的事項に基づいて当業者が容易に発明をすることができたものであることから、本願発明も同様の理由により、引用発明、引用刊行物Ｂに記載された発明及び周知の技術的事項に基づいて当業者が容易に発明をすることができたものである。
　
４．むすび
　以上のとおり、本願発明は、引用発明、引用刊行物Ｂに記載された発明及び周知の技術的事項に基づいて当業者が容易に発明をすることができたものであるから、特許法第２９条第２項の規定により特許を受けることができない。
　したがって、本件出願は、その余の請求項に係る発明について検討するまでもなく、拒絶すべきものである。
　よって、結論のとおり審決する。